(57)【特許請求の範囲】
【請求項１】
薬剤分包装置において分包シートをヒートシールすることにより形成された分包袋ごとに画像を表示する一方、薬袋に画像を表示すべく、画像ファイルを管理するための薬剤支援システムの画像ファイル管理装置であって、
白黒画像の属性を有する画像ファイルを格納すべく属性付けされた白黒画像フォルダおよびカラー画像の属性を有する画像ファイルを格納すべく属性付けされたカラー画像フォルダを有する記憶手段と、
新たな画像ファイルを取り込む画像ファイル取り込み手段と、
白黒画像フォルダまたはカラー画像フォルダのいずれに記憶させるかを選択するフォルダ選択手段と、
取り込んだ画像ファイルが白黒画像またはカラー画像のいずれの属性を有するかを判別する画像属性判別手段と、
新たな画像ファイルの属性が選択されたフォルダの属性と一致するか否かを判別するフォルダ属性判別手段と、
前記属性が一致しない場合に警告を報知する警報手段とを具備することを特徴とする画像ファイル管理装置。
【請求項２】
前記画像ファイルは、ビットマップファイルであることを特徴とする請求項１記載の画像ファイル管理装置。
【請求項３】
前記画像属性判別手段は、前記画像ファイルのヘッダ情報を読み取ることにより当該画像ファイルの属性を判別することを特徴とする請求項２記載の画像ファイル管理装置。
【請求項４】
請求項１〜３のいずれかに記載の画像ファイル管理装置と、
分包シートをヒートシールすることにより形成された分包袋ごとに画像を表示する表示部を設ける表示部形成手段を有する薬剤分包装置と、
薬袋に画像を表示する薬袋印刷装置とを具備することを特徴とする薬剤支援システム。
【請求項５】
薬剤分包装置において分包シートをヒートシールすることにより形成された分包袋ごとに画像を表示する一方、薬袋に画像を表示すべく、画像ファイルを管理するための薬剤支援システムの画像ファイル管理プログラムであって、
白黒画像の属性を有する画像ファイルを格納すべく属性付けされた白黒画像フォルダおよびカラー画像の属性を有する画像ファイルを格納すべく属性付けされたカラー画像フォルダを有する記憶手段と、白黒画像フォルダまたはカラー画像フォルダのいずれに記憶させるかを選択するフォルダ選択手段とを具備するコンピュータを
新たな画像ファイルを取り込む画像ファイル取り込み手段、
取り込んだ画像ファイルが白黒画像またはカラー画像のいずれの属性を有するかを判別する画像属性判別手段、
新たな画像ファイルの属性が選択されたフォルダの属性と一致するか否かを判別するフォルダ属性判別手段および
前記属性が一致しない場合に警告を報知する警報手段として機能させることを特徴とする画像ファイル管理プログラム。
【発明の詳細な説明】
【技術分野】
【０００１】
本発明は、薬剤分包装置において分包シートをヒートシールすることにより形成された分包袋ごとに画像を表示する一方、薬袋に画像を表示するための画像ファイルを管理するための薬剤支援システム、その画像ファイル管理装置および画像ファイル管理プログラムに関する。
【背景技術】
【０００２】
薬剤を薬剤分包装置にて分包する際に、各分包袋に当該分包袋に封入された薬剤の用法等に関する内容を印刷等により表示する表示部を有する構成が公知である（例えば、特許文献１）。一方、分包袋を入れる薬袋にも薬剤の用法等に関する内容を印刷等により表示する構成が公知である。
【０００３】
このような表示部に内容を表示するために、薬剤支援システムにおいて、ビットマップ画像ファイルを画像ファイルとして用い、適宜選択して用いることとしている。さらに、この画像ファイルには、カラー画像および白黒画像が用いられ、薬袋印刷装置や薬剤分包装置の表示部形成手段（印刷手段）の仕様等により、使い分けられる。
【特許文献１】特開２００１−５０８号公報
【発明の開示】
【発明が解決しようとする課題】
【０００４】
しかし、薬袋印刷においてはカラー画像を用い、分包袋においては白黒画像を用いる等の使い分けをすることにより、画像の表示内容自体が同一であり、色に関する属性（白黒かカラーか）のみが異なる画像ファイルが存在することとなる場合がある。この際、白黒印刷にカラー画像を用いたり、カラー印刷に白黒画像を用いることは、所望の画像が薬袋または分包袋にきちんと表示（印刷）されない状態を引き起こし、患者への明確な情報伝達を阻害してしまう場合も生じ得る。
【０００５】
また、ファイル名には、表示内容についての名称に基づくものが多く（例えば、「朝．ｂｍｐ」等）、オペレータが白黒画像ファイルだと思った画像ファイルが、同名のカラー画像ファイルだったというような誤りを生じる場合もあり、作業効率を下げてしまう問題があった。
【０００６】
本発明は、かかる従来技術の問題点を解決するべくなされたもので、白黒画像およびカラー画像を混在して使用する場合でも、白黒画像の属性を有するかカラー画像の属性を有するかについて誤ることなく使用する画像ファイルを適正に選択することができる薬剤支援システム、その画像ファイル管理装置および画像ファイル管理プログラムを提供することを目的とする。
【課題を解決するための手段】
【０００７】
本発明に係る画像ファイル管理装置は、薬剤分包装置において分包シートをヒートシールすることにより形成された分包袋ごとに画像を表示する一方、薬袋に画像を表示すべく、画像ファイルを管理するための薬剤支援システムの画像ファイル管理装置であって、白黒画像の属性を有する画像ファイルを格納すべく属性付けされた白黒画像フォルダおよびカラー画像の属性を有する画像ファイルを格納すべく属性付けされたカラー画像フォルダを有する記憶手段と、新たな画像ファイルを取り込む画像ファイル取り込み手段と、白黒画像フォルダまたはカラー画像フォルダのいずれに記憶させるかを選択するフォルダ選択手段と、取り込んだ画像ファイルが白黒画像であるかカラー画像であるかの属性を判別する画像属性判別手段と、新たな画像ファイルの属性が選択されたフォルダの属性と一致するか否かを判別するフォルダ属性判別手段と、前記属性が一致しない場合に警告を報知する警報手段とを具備することを特徴とするものである。
【０００８】
上記構成の画像ファイル管理装置によれば、まず、記憶手段に、白黒画像の属性を有する画像ファイルが白黒画像に属性付けされた白黒画像フォルダに記憶され、カラー画像の属性を有する画像ファイルがカラー画像に属性付けされたカラー画像フォルダに記憶される。ここで、画像ファイル取り込み手段により、新たな画像ファイルが取り込まれる一方、フォルダ選択手段により、白黒画像フォルダまたはカラー画像フォルダのいずれに記憶させるかを選択すると、画像属性判別手段により、取り込んだ画像ファイルが白黒画像であるかカラー画像であるかの属性が判別され、フォルダ属性判別手段により、新たな画像ファイルの属性が選択されたフォルダの属性と一致するか否かが判別される。そして、属性が一致しない場合には、警報手段により警告が報知される。
【０００９】
このように、画像ファイルを白黒画像の属性を有するファイルとカラー画像の属性を有するファイルとに分けて異なるフォルダに記憶させることにより、色に関する属性を誤って使用することを防止することができる。また、新たに画像ファイルを取り込む場合に、記憶させようとするフォルダの属性と画像ファイルの属性とが一致するかどうかを判別し、一致しない場合に警告することにより、必ずフォルダの属性と当該フォルダ内に記憶される画像ファイルの属性とを一致させることができるため、白黒画像の属性を有するかカラー画像の属性を有するかについて誤ることなく使用する画像ファイルを適正に選択することができ、作業効率を高くすることができる。
【００１０】
好ましくは、前記画像ファイルは、ビットマップファイルである。さらに、好ましくは、前記画像属性判別手段は、前記画像ファイルのヘッダ情報を読み取ることにより当該画像ファイルの属性を判別する。
【００１１】
また、本発明に係る薬剤支援システムは、上記の画像ファイル管理装置と、分包シートをヒートシールすることにより形成された分包袋ごとに画像を表示する表示部を設ける表示部形成手段を有する薬剤分包装置と、薬袋に画像を表示する薬袋印刷装置とを具備することを特徴とするものである。
【００１２】
また、本発明に係る薬剤支援システムのための画像ファイル管理プログラムは、薬剤分包装置において分包シートをヒートシールすることにより形成された分包袋ごとに画像を表示する一方、薬袋に画像を表示すべく、画像ファイルを管理するための薬剤支援システムの画像ファイル管理プログラムであって、白黒画像の属性を有する画像ファイルを格納すべく属性付けされた白黒画像フォルダおよびカラー画像の属性を有する画像ファイルを格納すべく属性付けされたカラー画像フォルダを有する記憶手段と、白黒画像フォルダまたはカラー画像フォルダのいずれに記憶させるかを選択するフォルダ選択手段とを具備するコンピュータを新たな画像ファイルを取り込む画像ファイル取り込み手段、取り込んだ画像ファイルが白黒画像またはカラー画像のいずれの属性を有するかを判別する画像属性判別手段、新たな画像ファイルの属性が選択されたフォルダの属性と一致するか否かを判別するフォルダ属性判別手段および前記属性が一致しない場合に警告を報知する警報手段として機能させることを特徴とするものである。
【発明の効果】
【００１３】
本発明に係る薬剤支援システム、その画像ファイル管理装置および画像ファイル管理プログラムによれば、画像ファイルを白黒画像の属性を有するファイルとカラー画像の属性を有するファイルとに分けて異なるフォルダに記憶させることにより、色に関する属性を誤って使用することを防止することができる。また、新たに画像ファイルを取り込む場合に、記憶させようとするフォルダの属性と画像ファイルの属性とが一致するかどうかを判別し、一致しない場合に警告することにより、必ずフォルダの属性と当該フォルダ内に記憶される画像ファイルの属性とを一致させることができるため、白黒画像の属性を有するかカラー画像の属性を有するかについて誤ることなく使用する画像ファイルを適正に選択することができ、作業効率を高くすることができる。
【発明を実施するための最良の形態】
【００１４】
以下、添付図面を参照しつつ、本発明を実施するための最良の形態について説明する。
図１は本発明の一実施形態に係る薬剤支援システムについての概念図であり、図２は図１の薬剤支援システムの画像ファイル管理画面の例を示す図であり、図３は図１の薬剤支援システムにより画像が表示された薬袋または分包袋の例を示す図である。図３（ａ）は分包袋の例を示し、図３（ｂ）は薬袋の例を示す図である。
【００１５】
本実施形態に係る薬剤支援システムは、図１に示すように、画像ファイル管理装置１と、分包シート４をヒートシールすることにより形成された分包袋４０ごとに画像を表示する表示部４１を設ける表示部形成手段２１を有する薬剤分包装置２と、薬袋５に画像を表示する薬袋印刷装置３とを具備する。また、本実施形態の画像ファイル管理装置１は、白黒画像の属性を有する画像ファイルを格納すべく属性付けされた白黒画像フォルダおよびカラー画像の属性を有する画像ファイルを格納すべく属性付けされたカラー画像フォルダを有する記憶手段１１と、新たな画像ファイルを取り込む画像ファイル取り込み手段１２と、白黒画像フォルダまたはカラー画像フォルダのいずれに記憶させるかを選択するフォルダ選択手段１３と、取り込んだ画像ファイルが白黒画像またはカラー画像のいずれの属性を有するかを判別する画像属性判別手段１４と、新たな画像ファイルの属性が選択されたフォルダの属性と一致するか否かを判別するフォルダ属性判別手段１５と、前記属性が一致しない場合に警告を報知する警報手段１６０とを具備する。本実施形態においては、さらに、読み込んだデータを一時記憶するメモリ１７および画像ファイル管理装置１にて生成された制御命令（制御信号）を薬剤分包装置２および／または薬袋印刷装置３に伝達するデータ出力手段１８を有している。また、警報手段１６０は、上記場合に警告を報知すべく制御する警報制御手段１６、警報制御手段１６に基づいて警告表示可能なモニタ１９および警報制御手段１６に基づいて警告音を発報可能なスピーカ２０により構成される。そして、各構成（１１〜２０）は、信号バス１０により相互に接続され、データおよび各種信号の受け渡しが可能となっている。
【００１６】
記憶手段１１は、ハードディスクおよび／またはＣＤ−ＲＯＭドライブ等の外部記憶手段により実現可能であり、白黒画像フォルダに白黒画像ファイルが記憶され、カラー画像フォルダにカラー画像ファイルが記憶される。当該フォルダに記憶される画像ファイルとしては、図３に示すような、薬剤の用法を模式的に表示した用法画像Ｃ１，Ｍ１や用法ごとに異なる態様の線分で示した用法ラインＣ２，Ｍ２等があり、例えば、薬剤分包装置２の表示部形成手段２１において分包シート４に形成された分包袋４０の表示部４１に対して白黒印刷を行い、薬袋印刷装置３において薬袋５に対してカラー印刷を行う場合、同じ画像で２つの異なる属性（白黒画像またはカラー画像）の画像ファイルが用意される。具体的には、例えば図３に示すような、分包袋４０の表示部４１に印刷される白黒画像である用法画像Ｍ１および用法ラインＭ２、薬袋５に印刷されるカラー画像である用法画像Ｃ１および用法ラインＣ２をそれぞれ印刷するための画像ファイルが用意される。なお、分包袋４０または薬袋５のいずれかにのみ印刷するための画像を記憶することも可能である。言い換えると、カラー画像と白黒画像とは必ずしも一対として存在しなくてもよい。例えば図３（ｂ）に示すような、薬袋５において表示すべき、予め決められた商標画像のような固定画像（カラー画像Ｃ３）や適宜印刷可能なフリー画像（カラー画像Ｃ４）等の他のカラー画像を記憶してもよい。また、記憶手段１１には、薬剤のデータ、用法データ、処方箋データ、患者データ等も記憶される。さらに、画像ファイル管理プログラムも記憶される。
【００１７】
画像ファイル取り込み手段１２は、Ｉ／ＯインターフェイスまたはＣＤ−ＲＯＭドライブ等により実現可能である。また、記憶手段１１内の別（外部）フォルダから薬剤支援プログラムにおける指定フォルダ（すなわち、白黒画像フォルダまたはカラー画像フォルダ）に移動する概念をも含むこととしてよい。
【００１８】
フォルダ選択手段１３は、キーボード、マウス、タッチパネル等の種々の入力手段を採用可能である。なお、フォルダ選択手段１３は、患者情報や処方箋情報等の種々の情報を入力する入力手段（図示せず）と兼用してもよい。
【００１９】
画像属性判別手段１４、フォルダ属性判別手段１５および警報制御手段１６は、ＣＰＵ１０（単体でも複数でもよい）により実現され、上記画像ファイル管理プログラムに従い、画像ファイル取り込み手段１２およびフォルダ選択手段１３からの入力に応じて各手段として機能する。特に、警報制御手段１６は、モニタ１９に対し管理画面上における警告表示および／またはコンピュータ内蔵のスピーカ２０による警告音発報の制御を行う。なお、警報手段１６０による警告の態様はこれに限られず、モニタ１９による警告表示のみの態様やスピーカ２０による警告音の発報のみの態様でもよいし、別の機器（薬剤分包装置２、薬袋印刷装置３および／または他のコンピュータ）に対して警告信号を出力する等、種々の態様が採用可能である。
【００２０】
データ出力手段１７は、Ｉ／Ｏインターフェイスにより有線または無線により薬剤分包装置２および／または薬袋印刷装置３と接続する構成としてもよいし、出力データをフレキシブルディスクドライブ等に記憶させ、当該出力データが記憶されたフレキシブルディスクを薬剤分包装置のフレキシブルディスクドライブに挿入することにより、出力データを伝えることとしてもよい。
【００２１】
以上のように、本実施形態の画像ファイル管理装置１は、パーソナルコンピュータ等の一般的なコンピュータにより実現できる。また、画像ファイル管理装置１を薬剤分包装置２および／または薬袋印刷装置３内に組み込んでもよいし、専用の管理装置を薬剤分包装置２および／または薬袋印刷装置３に接続することにより実現することも可能である。
【００２２】
ここで、本実施形態の画像ファイル管理装置１の具体的な動作について説明する。
【００２３】
まず、予め記憶手段１１に、白黒画像の属性を有する画像ファイルが白黒画像フォルダに記憶され、カラー画像の属性を有する画像ファイルがカラー画像フォルダに記憶されるべく、それぞれのフォルダが属性付けされている。つまり、下記フォルダ選択手段１３による選択肢（後述するチェックボックスＢ１）とフォルダとが対応付けられている。
【００２４】
オペレータは、フォルダ選択手段１３により、白黒画像フォルダまたはカラー画像フォルダのいずれに記憶させるかを選択する。より具体的には、図２の画像ファイル管理画面においてカラー画像を取り込むか白黒画像を取り込むかについて、該当するいずれかのチェックボックスＢ１をマウス等をクリック等することにより、白黒画像フォルダまたはカラー画像フォルダのいずれかの格納フォルダを選択する。この際、図２の管理画面において、いずれかの格納フォルダの画像ファイル一覧がファイル参照領域Ａ２に表示される。
【００２５】
ここで、画像ファイル取り込み手段１２により、新たな画像ファイルを取り込む。具体的には、図２の管理画面上において外部フォルダ等から所望の画像ファイルを（外部ファイル選択領域Ａ１に所望の画像ファイル名（またはサムネイル画像等）を表示させてマウスのクリック等により）選択し、取り込みボタンＢ２を押下（クリック等）する。取り込んだ画像ファイルは、メモリ１８に一時記憶される。
【００２６】
取り込みボタンＢ２の押下に応じて、ＣＰＵ１０は、画像属性判別手段１４として機能し、取り込んだ画像ファイルが白黒画像であるかカラー画像であるかの属性を判別する。
【００２７】
本実施形態において、画像ファイルは、ビットマップファイルである。さらに、画像属性判別手段１４は、画像ファイルのヘッダ情報を読み取ることにより当該画像ファイルの属性を判別する。より具体的に説明する。図４は画像ファイルのファイル構造の例を示す図である。図４（ａ）はビットマップ画像の一例を示す図であり、図４（ｂ）は図４（ａ）のビットマップファイルのデータ列を示す図である。
【００２８】
図４（ａ）の例は横８ドット×縦８ラインの大きさで、１ライン目が１ドットおきに黒であり、残りはすべて白である白黒画像である。この画像ファイルの構造は、図４（ｂ）に示される。このファイル構造において、各番地が１バイトを表し、順に、0x00000000番地（0x…は１６進数表示を表すものとする）から0x00000035番地はヘッダ情報Ｄ１、0x00000036番地から0x0000003D番地はカラーパレット情報Ｄ２、0x0000003E番地以降は画像データＤ３となる。本実施形態の画像属性判別手段１４は、ヘッダ情報Ｄ１のうちファイル先頭から画像データまでのオフセット値を示す「bfOffBits」Ｄ１１（0x0000000A番地から0x0000000D番地）を読み取る。この「bfOffBits」Ｄ１１は、画像によらず固定の0x36バイトにカラーパレット数×４バイト（１色あたり４バイト使用）を加えた値として定義される。したがって、図４（ｂ）において、「bfOffBits」Ｄ１１が0x3Eバイトであるから、上記関係からカラーパレット数は、２であることが判別できる。そして、画像属性判別手段１４は、さらに、カラーパレット情報Ｄ２を読み取り、白黒画像か否かを判別する。すなわち、カラーパレット数２かつ当該カラーパレット情報Ｄ２が白および黒であれば、白黒画像の属性を有する画像ファイルとして判定し、それ以外であればカラー画像の属性を有する画像ファイルとして判定する。図４（ｂ）においては、「00 00 00 00」＝黒と「FF FF FF 00」＝白より白黒画像ファイルであると判定される。なお、この判定方法は、１６色、２５６色および２４ビット等のビットマップ画像ファイルにも対応可能である。２４ビットのビットマップ画像ファイルの場合は、カラーパレットがないため、「bfOffBits」Ｄ１１が0x36である場合には、カラー画像として判定すればよい。
【００２９】
こうして格納フォルダが選択された状態で取り込みボタンＢ２を押下することにより、ＣＰＵ１０は、フォルダ属性判別手段１５として機能し、新たな画像ファイルの属性が選択されたフォルダの属性と一致するか否かを判別する。そして、属性が一致しない場合には、ＣＰＵ１０は、警報制御手段１６として機能し、モニタ１９の管理画面上に警告表示する一方、警告音をスピーカ２０より発報することにより、オペレータに対し警告が報知される。
【００３０】
一方、属性が一致する場合には、取り込んだ画像ファイルをフォルダ選択手段１３により選択されたフォルダに格納し、記憶する。
【００３１】
このように、画像ファイルを白黒画像の属性を有するファイルとカラー画像の属性を有するファイルとに分けて異なるフォルダに記憶させることにより、属性を誤って使用することを防止することができる。また、新たに画像ファイルを取り込む場合に、記憶させようとするフォルダの属性と画像ファイルの属性とが一致するかどうかを判別し、一致しない場合に警告することにより、必ずフォルダの属性と当該フォルダ内に記憶される画像ファイルの属性とを一致させることができるため、白黒画像の属性を有するかカラー画像の属性を有するかについて誤ることなく使用する画像ファイルを適正に選択することができ、作業効率を高くすることができる。
【００３２】
なお、白黒画像ファイルかカラー画像ファイルかを判定する方法は、本実施形態に限られず、種々の方法が可能である。また、白黒画像フォルダおよびカラー画像フォルダ間の画像ファイルの移動においても警告を行うこととしてもよい。
【図面の簡単な説明】
【００３３】
【図１】図１は本発明の一実施形態に係る薬剤支援システムについての概念図である。
【図２】図１の薬剤支援システムの画像ファイル管理画面の例を示す図である。
【図３】図１の薬剤支援システムにより画像が表示された薬袋または分包袋の例を示す図である。
【図４】画像ファイルのファイル構造の例を示す図である。
【符号の説明】
【００３４】
１  画像ファイル管理装置
１１  記憶手段
１２  画像ファイル取り込み手段
１３  フォルダ選択手段
１４  画像属性判別手段
１５  フォルダ属性判別手段
１６  警報制御手段（警報手段）
１９  モニタ（警報手段）
２０  スピーカ（警報手段）
１６０  警報手段
２  薬剤分包装置
２１  表示部形成手段
３  薬袋印刷装置
４  分包シート
４０  分包袋
４１  表示部
５  薬袋
Ｄ１  ヘッダ情報
【図１】
0004649306.tif 000002
【図２】
0004649306.tif 000003
【図３】
0004649306.tif 000004
【図４】
0004649306.tif 000005